(57)【要約】【課題】除湿能力が低下することを抑制できる除湿機を提供する。【解決手段】除湿機１００は、ヒータ６と、吸湿部７ａと、放湿部７ｂと、第１冷却部８ａと、第２冷却部８ｂと、第１放熱部９ａと、第２放熱部９ｂとを備える。吸湿部７ａ、第１冷却部８ａ、及び第１放熱部９ａが、吸湿部７ａ、第１冷却部８ａ、及び第１放熱部９ａの順番に配置される。ヒータ６、放湿部７ｂ、第２冷却部８ｂ、及び、第２放熱部９ｂが、ヒータ６、放湿部７ｂ、第２冷却部８ｂ、及び、第２放熱部９ｂの順番に配置される。【選択図】図３
2020131063.tif 000002
【特許請求の範囲】
【請求項１】
加熱部と、
空気を除湿する吸湿部と、
前記加熱部から熱を供給されることで、前記吸湿部から放出される空気よりも湿度が高い空気を放出する放湿部と、
空気を冷やす第１冷却部及び第２冷却部と、
前記第１冷却部を冷やす第１放熱部と、
前記第２冷却部を冷やす第２放熱部と
を備え、
前記吸湿部、前記第１冷却部、及び前記第１放熱部が、前記吸湿部、前記第１冷却部、及び前記第１放熱部の順番に配置され、
前記加熱部、前記放湿部、前記第２冷却部、及び前記第２放熱部が、前記加熱部、前記吸湿部、前記第２冷却部、及び前記第２放熱部の順番に配置される、除湿機。
【請求項２】
前記第１冷却部と前記第２冷却部とが、１つの部材で構成される、請求項１に記載の除湿機。
【請求項３】
前記第１放熱部と前記第２放熱部とが、１つの部材で構成される、請求項１又は請求項２に記載の除湿機。
【請求項４】
空気を送風する送風部をさらに備え、
前記送風部は、
前記吸湿部、前記第１冷却部、及び前記第１放熱部の順番に空気が流れる第１風路と、
前記加熱部、前記吸湿部、前記第２冷却部、及び前記第２放熱部の順番に空気が流れる第２風路と
を生成する、請求項１から請求項３のいずれか１項に記載の除湿機。
【請求項５】
前記第１放熱部と前記第２放熱部とが、前記送風部の下流に配置される、請求項４に記載の除湿機。
【請求項６】
前記放湿部から放出される空気を前記第１冷却部と前記第２冷却部とに案内する案内部をさらに備える、請求項１から請求項５のいずれか１項に記載の除湿機。
【発明の詳細な説明】
【技術分野】
【０００１】
本発明は、除湿機に関する。
【背景技術】
【０００２】
除湿機能を備えた除湿装置が特許文献１に開示されている。特許文献１に記載の除湿装置は、送風手段と、吸込口と、吸湿部と、吹出口と、放湿部と、吸熱器と、放熱器と、第１送風路と、第２送風路とを備える。第１送風路は、送風手段によって、吸込口、吸湿部、及び吹出口の順番に空気を送る。第２送風路は、送風手段によって、吸込口、放湿部、吸熱器、放熱器、及び吹出口の順番に空気を送る。
【先行技術文献】
【特許文献】
【０００３】
【特許文献１】特開２０１６−８７５８５号公報
【発明の概要】
【発明が解決しようとする課題】
【０００４】
しかし、特許文献１に記載の除湿装置は、第１送風路を流れる風を吸熱器（冷却部）と、放熱器（放熱部）とに通さない。従って、第１送風路を流れる風によっては放熱器が冷却されない。その結果、第２送風路を流れる風のみによっては放熱器の冷却が不十分な場合、冷凍サイクルによる吸熱器の冷却効率が低下するおそれがある。
【０００５】
冷凍サイクルによる吸熱器の冷却効率が低下すると、吸熱器による空気の冷却能力が低下する。その結果、吸熱器が空気中の水蒸気を十分に結露できず、除湿装置の除湿能力が低下するおそれがある。
【０００６】
本発明は、除湿能力が低下することを抑制できる除湿機を提供することを目的とする。
【課題を解決するための手段】
【０００７】
本願の第１局面によれば、除湿機は、加熱部と、吸湿部と、放湿部と、第１冷却部と、第２冷却部と、第１放熱部と、第２放熱部とを備える。吸湿部は、空気を除湿する。放湿部は、前記加熱部から熱を供給されることで、前記吸湿部から放出される空気よりも湿度が高い空気を放出する。第１冷却部及び第２冷却部は、空気を冷やす。第１放熱部は、前記第１冷却部を冷やす。第２放熱部は、前記第２冷却部を冷やす。前記吸湿部、前記第１冷却部、及び前記第１放熱部が、前記吸湿部、前記第１冷却部、及び前記第１放熱部の順番に配置される。前記加熱部、前記放湿部、前記第２冷却部、及び前記第２放熱部が、前記加熱部、前記吸湿部、前記第２冷却部、及び前記第２放熱部の順番に配置される。
【発明の効果】
【０００８】
本発明の除湿機によれば、除湿機の除湿能力が低下することを抑制できる。
【図面の簡単な説明】
【０００９】
【図１】本発明の第１実施形態に係る除湿機を前方から見た斜視図である。
【図２】本発明の第１実施形態に係る除湿機を後方から見た斜視図である。
【図３】ケーシングの内部を示す模式図である。
【図４】第１風路を通じた空気の流れを示す図である。
【図５】第２風路を通じた空気の流れを示す図である。
【図６】第２風路を吸込口側から見た図である。
【図７】図６のＶＩＩ−ＶＩＩ断面図である。
【図８】第１実施形態の除湿機の変形例を示す模式図である。
【発明を実施するための形態】
【００１０】
本発明の実施形態について、図面を参照しながら説明する。なお、図中、同一又は相当部分については同一の参照符号を付して説明を繰り返さない。
【００１１】
［第１実施形態］
図１及び図２を参照して、本発明の第１実施形態に係る除湿機１００について説明する。図１は、本発明の第１実施形態に係る除湿機１００を前方から見た斜視図である。図２は、本発明の第１実施形態に係る除湿機１００を後方から見た斜視図である。
【００１２】
図１及び図２に示すように、除湿機１００は、ケーシング１と、カバー部材２ａと、排水タンク４と、操作部５とを備える。
【００１３】
ケーシング１は、中空の部材である。ケーシング１には、吹出口２と、吸込口３とが形成される。
【００１４】
吹出口２は、ケーシング１の前面に形成される。吹出口２は、ケーシング１の内部と外部とを連通する。吹出口２は、ケーシング１の内部の空気をケーシング１の外部に放出する。吹出口２は、ケーシング１に形成されていればよく、ケーシング１の前面以外の場所に位置していてもよい。
【００１５】
カバー部材２ａは、略板状の部材である。図１において、カバー部材２ａは、吹出口２を覆っている。カバー部材２ａは、ケーシング１に回転可能に取り付けられる。カバー部材２ａは、回転角度を変更することで、吹出口２から放出される空気の流れる方向を、カバー部材２ａの回転角度に応じた方向に規定する風向板として機能する。
【００１６】
吸込口３は、ケーシング１の後面に形成される（図２参照）。吸込口３は、ケーシング１の内部と外部とを連通する。吸込口３は、ケーシング１の外部の空気をケーシング１の内部に流入させる。吸込口３は、ケーシング１に形成されていればよく、ケーシング１の後面以外の場所に位置していてもよい。
【００１７】
排水タンク４は、ケーシング１に着脱自在に格納される。排水タンク４は、除湿機１００によって生成された水を貯留する。
【００１８】
操作部５は、ケーシング１の上部に設けられる。操作部５は、外部からの指示を受け付ける。
【００１９】
次に、図３を参照して、除湿機１００についてさらに説明する。図３は、ケーシング１の内部を示す模式図である。
【００２０】
図３において、上下方向は鉛直方向に対して平行な方向である。前後方向は、水平方向に対して平行な方向である。除湿機１００は、図３に示すような姿勢に設置された状態で使用される。
【００２１】
図３に示すように、除湿機１００は、ヒータ６と、除湿ロータ７と、冷却部８と、放熱部９と、集水部１０と、送風部１１と、圧縮部１２と、膨張部（不図示）とをさらに備える。
【００２２】
ヒータ６、除湿ロータ７、冷却部８、放熱部９、送風部１１、及び圧縮部１２は、ケーシング１の内部に配置される。
【００２３】
ヒータ６は、発熱することで空気を加熱する。ヒータ６は、本発明の加熱部の一例である。ヒータ６は、吸込口３と対向する。ヒータ６は、吸込口３の前方に配置される。
【００２４】
除湿ロータ７は、ゼオライト７１と、ロータ７２と、回転軸７３とを含む。ロータ７２は、略円盤状の部材である。ロータ７２には、ロータ７２の周方向に沿って複数のゼオライト７１が設けられる。ロータ７２は、回転軸７３を中心に回転する。
【００２５】
除湿ロータ７は、吸湿部７ａと、放湿部７ｂとを有する。
【００２６】
吸湿部７ａは、ロータ７２のうちの上側部分である。吸湿部７ａは、吸込口３と対向する。吸湿部７ａは、吸込口３の前方に配置される。吸湿部７ａは、ヒータ６と対向しない。吸湿部７ａには、ヒータ６から熱が供給されない。熱が供給されることは、ヒータ６により加熱された空気が流れてくることを示す。
【００２７】
放湿部７ｂは、ロータ７２のうちの下側部分である。放湿部７ｂは、吸湿部７ａの下方に位置する。放湿部７ｂは、ヒータ６と対向する。放湿部７ｂは、ヒータ６の前方に配置される。放湿部７ｂには、ヒータ６から熱が供給される。
【００２８】
ゼオライト７１は、ロータ７２と共に回転することで、吸湿部７ａに位置する状態と、放湿部７ｂに位置する状態とを交互に繰り返す。
【００２９】
吸湿部７ａは、空気を除湿する。詳細には、吸湿部７ａに位置するゼオライト７１が空気を除湿する。その結果、吸湿部７ａから除湿された空気が放出される。
【００３０】
放湿部７ｂは、吸湿部７ａで除湿された水分を含む空気（高湿度の空気）を放出する。詳細には、放湿部７ｂに位置するゼオライト７１に対してヒータ６から熱が供給されることで、ゼオライト７１が吸湿部７ａに位置する際に除湿した水分が放湿部７ｂで気化される。その結果、放湿部７ｂから高湿度の空気が放出される。
【００３１】
圧縮部１２は、冷媒を圧送する。圧縮部１２は、コンプレッサを含む。膨張部は、冷媒を減圧する。膨張部は、例えば、キャピラリーチューブを含む。ケーシング１の内部には、冷凍サイクルが形成される。冷凍サイクルは、圧縮部１２と、放熱部９と、膨張部と、冷却部８とを環状に連結した循環路を形成し、圧縮部１２により循環路を通じて冷媒を循環させるサイクルである。冷凍サイクルにおいて、圧縮部１２が動作することにより冷媒が高温高圧化される。高温高圧化された冷媒は、放熱部９へ送られる。放熱部９は、放熱部９を通過する空気中に冷媒の熱を放熱することで、冷媒を冷やす。放熱部９を通過した冷媒は、膨張部へ送られる。膨張部は、放熱部９により冷やされた冷媒を減圧することで、低温低圧化された冷媒を生成する。膨張部を通過した冷媒は、冷却部８へ送られる。冷却部８は、膨張部から低温低圧化された冷媒を供給されることで冷却される。冷却部８を通過した冷媒は、圧縮部１２へ送られる。冷凍サイクルにおいて、冷媒が、圧縮部１２、放熱部９、膨張、及び冷却部８の順番に循環することで、冷却部８の温度上昇が抑制される。なお、冷凍サイクルにおいて、放熱部９には、圧縮部１２により高温高圧化された冷媒が送られるので、放熱部９の温度が上昇する。
【００３２】
冷却部８は、空気を冷やす。冷却部８は、エバポレータを含む。冷却部８は、第１冷却部８ａと、第２冷却部８ｂとを含む。第１冷却部８ａは、吸湿部７ａの前方に配置される。第２冷却部８ｂは、放湿部７ｂの前方に配置される。第２冷却部８ｂは、第１冷却部８ａの下方に位置する。
【００３３】
冷却部８は、空気を冷やすことで、空気中の水蒸気を結露させる。その結果、空気が除湿されると共に、水が生成される。
【００３４】
第１実施形態では、放湿部７ｂから高湿度の空気が放出される。放湿部７ｂから放出された空気は、第２冷却部８ｂに供給される。従って、第１冷却部８ａと第２冷却部８ｂとのうち、主に第２冷却部８ｂが結露を生成して除湿を行う。
【００３５】
放熱部９は、冷凍サイクルにおいて、冷媒を冷やすことによって、冷却部８を冷やす。放熱部９は、コンデンサを含む。放熱部９は、第１放熱部９ａと、第２放熱部９ｂとを含む。第１放熱部９ａは、第１冷却部８ａの前方に配置される。第２放熱部９ｂは、第２冷却部８ｂの前方に配置される。第２放熱部９ｂは、第１放熱部９ａの下方に位置する。
【００３６】
集水部１０は、冷却部８で生成された水を回収する。集水部１０は、冷却部８の下方に配置される。集水部１０には冷却部８で生成された水が滴下する。
【００３７】
集水部１０は、例えば、漏斗状に形成され、供給された水を排水タンク４へ案内する。その結果、排水タンク４に水が貯留される。
【００３８】
送風部１１は、空気を送風する。送風部１１は、ファンを含む。送風部１１は、放熱部９の前方に配置される。
【００３９】
送風部１１は、第１風路Ｆ１と、第２風路Ｆ２とを生成する。第１風路Ｆ１と、第２風路Ｆ２とは、ケーシング１の内部に形成される。吸込口３を介してケーシング１の内部に流入した空気は、第１風路Ｆ１又は第２風路Ｆ２を流れた後、吹出口２からケーシング１の外部に排出される。
【００４０】
第１風路Ｆ１は、吸湿部７ａ、第１冷却部８ａ、及び第１放熱部９ａに亘って形成される。第１風路Ｆ１では、吸湿部７ａ、第１冷却部８ａ、及び第１放熱部９ａの順番に空気が流れる。
【００４１】
第２風路Ｆ２は、ヒータ６、放湿部７ｂ、第２冷却部８ｂ、及び第２放熱部９ｂに亘って形成される。第２風路Ｆ２では、ヒータ６、放湿部７ｂ、第２冷却部８ｂ、及び第２放熱部９ｂの順番に空気が流れる。
【００４２】
除湿機１００は、記憶部１３と、制御部１４とをさらに備える。
【００４３】
記憶部１３は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。主記憶装置及び／又は補助記憶装置は、制御部１４によって実行される種々のコンピュータープログラムを記憶する。
【００４４】
制御部１４は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御部１４は、除湿機１００の各要素を制御する。
【００４５】
次に、図３〜図５を参照して、除湿機１００の動作について説明する。図４は、第１風路Ｆ１を通じた空気の流れを示す図である。
【００４６】
図３及び図４に示すように、ケーシング１の外部の空気は、吸込口３を介してケーシング１の内部に流入した後、吸湿部７ａ、第１冷却部８ａ、及び第１放熱部９ａの順番に空気が流れて、吹出口２からケーシング１の外部に排出される。
【００４７】
図４は、第１空気Ａ１と、第２空気Ａ２と、第３空気Ａ３とを示す。第１空気Ａ１は、第１風路Ｆ１を流れる空気のうち、吸湿部７ａに流入する直前の空気である。第２空気Ａ２は、第１風路Ｆ１を流れる空気のうち、吸湿部７ａと第１冷却部８ａとの間に位置する空気である。第３空気Ａ３は、第１風路Ｆ１を流れる空気のうち、第１冷却部８ａと第１放熱部９ａとの間に位置する空気である。
【００４８】
第２空気Ａ２の湿度は、第１空気Ａ１の湿度よりも低い（第２空気Ａ２の湿度＜第１空気Ａ１の湿度）。理由は、第１空気Ａ１は、吸湿部７ａに流入すると、吸湿部７ａにより除湿されるからである。
【００４９】
第３空気Ａ３の温度は、第２空気Ａ２の温度よりも低い（第３空気Ａ３の温度＜第２空気Ａ２の温度）。理由は、第２空気Ａ２は、第１冷却部８ａに流入すると、第１冷却部８ａにより冷却されるからである。
【００５０】
第２空気Ａ２は、第１冷却部８ａにより冷却されて第３空気Ａ３となった後、第１放熱部９ａに供給される。従って、第３空気Ａ３により放熱部９を冷却することができるので、放熱部９の温度上昇を抑制できる。その結果、冷凍サイクルにおいて、放熱部９により冷媒を効果的に冷やすことができるので、冷凍サイクルによる冷却部８の冷却効率を向上させることができる。
【００５１】
また、冷凍サイクルによる冷却部８の冷却効率が向上することで、冷却部８の冷えた状態を効果的に確保できる。冷却部８の冷えた状態が確保されると、冷却部８による空気の冷却能力を向上させることができる。従って、冷却部８は、空気中の水蒸気を効果的に結露させてより多くの水を生成することができる。その結果、除湿機１００の除湿能力が低下することを抑制できる。
【００５２】
図５は、第２風路Ｆ２を通じた空気の流れを示す図である。
【００５３】
図５は、第４空気Ａ４と、第５空気Ａ５とを示す。第４空気Ａ４は、第２風路Ｆ２を流れる空気のうち、放湿部７ｂと第２冷却部８ｂとの間に位置する空気である。第５空気Ａ５は、第２風路Ｆ２を流れる空気のうち、第２冷却部８ｂと第２放熱部９ｂとの間に位置する空気である。
【００５４】
図３〜図５に示すように、第４空気Ａ４の温度は、第２空気Ａ２の温度よりも高い（第４空気Ａ４の温度＞第２空気Ａ２の温度）。理由は、第４空気Ａ４は、ヒータ６により加熱されているのに対し、第２空気Ａ２はヒータ６により加熱されていないからである。
【００５５】
第４空気Ａ４の湿度は、第２空気Ａ２の湿度よりも高い（第４空気Ａ４の湿度＞第２空気Ａ２の湿度）。理由は、第４空気Ａ４は、放湿部７ｂにおいてヒータ６の熱により生成された蒸気を含むからである。
【００５６】
第５空気Ａ５の温度は、第４空気Ａ４の温度よりも低い（第５空気Ａ５の温度＜第４空気Ａ４の温度）。理由は、第５空気Ａ５は、第２冷却部８ｂに流入すると、第２冷却部８ｂにより冷却されるからである。
【００５７】
第５空気Ａ５が第２放熱部９ｂに供給されると、第５空気Ａ５により放熱部９が冷却される。
【００５８】
以上、図３〜図５を参照して説明したように、吸湿部７ａ、第１冷却部８ａ、及び第１放熱部９ａが、吸湿部７ａ、第１冷却部８ａ、及び第１放熱部９ａの順番に配置される。また、ヒータ６、放湿部７ｂ、第２冷却部８ｂ、及び第２放熱部９ｂが、ヒータ６、放湿部７ｂ、第２冷却部８ｂ、及び第２放熱部９ｂの順番に配置される。従って、第２冷却部８ｂから第２放熱部９ｂに流れ込む第５空気Ａ５によってのみならず、第１冷却部８ａから第１放熱部９ａに流れ込む第３空気Ａ３によっても、放熱部９（第１放熱部９ａと第２放熱部９ｂ）を冷却できる。その結果、冷凍サイクルにおいて放熱部９により冷媒を効果的に冷やすことができるので、冷凍サイクルによる冷却部８の冷却効率を向上させることができる。
【００５９】
なお、除湿機１００の雰囲気の温度が十分に高い場合は、ヒータ６がＯＦＦの状態でも、冷却部８により結露が生じる程度に空気を冷却できる。この場合、省電力化の観点から、ヒータ６がＯＦＦの状態で除湿機１００が稼働されることがある。この場合でも、第５空気Ａ５のみならず、第３空気Ａ３によっても、放熱部９を冷却することができるので、冷凍サイクルによる冷却部８の冷却効率を向上できる。その結果、除湿機１００の除湿能力が低下することを抑制できる。
【００６０】
［第２実施形態］
図６及び図７を参照して、本発明の第２実施形態に係る除湿機１００について説明する。図６は、第２風路Ｆ２を吸込口３側から見た図である。図７は、図６のＶＩＩ−ＶＩＩ断面図である。
【００６１】
第２実施形態では、放湿部７ｂから放出された空気Ｂが、第２冷却部８ｂのみならず、第１冷却部８ａにも供給される点が第１実施形態と異なる。以下では、主に第１実施形態と異なる点を説明する。
【００６２】
図６及び図７に示すように、除湿機１００は、案内部１５をさらに備える。
【００６３】
案内部１５は、放湿部７ｂから放出された空気Ｂを、第１冷却部８ａと第２冷却部８ｂとに案内する。
【００６４】
放湿部７ｂから放出された空気Ｂは、吸湿部７ａから放出される空気よりも高湿度の空気であり、除湿されるべき空気である。
【００６５】
案内部１５は、除湿ロータ７と、冷却部８との間に配置される。案内部１５は、第１部材１５１と、複数の第２部材１５２と、第３部材１５３とを備える。
【００６６】
第１部材１５１は、両端が開口する略筒状の部材である。第１部材１５１の一方の端部には、第１開口部１５１ａが形成される（図７参照）。第１部材１５１の他方の端部には、第２開口部１５１ｂが形成される（図７参照）。第１開口部１５１ａと、第２開口部１５１ｂとの各々は、第１部材１５１の内部と外部とを連通する。
【００６７】
第１開口部１５１ａは、放湿部７ｂに対向する。
【００６８】
第２部材１５２は、略管状の部材である。第２部材１５２は、上下方向に沿って延びる。第２部材１５２には、第３開口部１５２ａと、複数の第４開口部１５２ｂと、複数の第５開口部１５２ｃとが形成される（図７参照）。第３開口部１５２ａと、複数の第４開口部１５２ｂと、複数の第５開口部１５２ｃとの各々は、第２部材１５２の内部と外部とを連通する。
【００６９】
第３部材１５３は、複数の第２部材１５２の上部に連結される。
【００７０】
第３開口部１５２ａは、第１部材１５１の第２開口部１５１ｂに連通する。
【００７１】
複数の第４開口部１５２ｂの各々は、第１冷却部８ａに対向する。複数の第５開口部１５２ｃの各々は、第２冷却部８ｂに対向する。
【００７２】
放湿部７ｂから放出された空気Ｂは、第１開口部１５１ａを介して第１部材１５１の内部に流入する。第１部材１５１の内部に流入した空気Ｂは、第２開口部１５１ｂと第３開口部１５２ａとを介して第２部材１５２の内部に流入する。第２部材１５２に流入した空気Ｂのうちの一部は、複数の第４開口部１５２ｂから第１冷却部８ａに供給される。第２部材１５２に流入した空気Ｂのうちの他の一部は、複数の第５開口部１５２ｃから第２冷却部８ｂに供給される。従って、放湿部７ｂから放出された空気Ｂが案内部１５により第２冷却部８ｂのみならず、第１冷却部８ａにも供給される。その結果、第２冷却部８ｂのみならず、第１冷却部８ａも用いて空気Ｂを除湿できるので、空気Ｂの除湿を効果的に行うことができる。
【００７３】
以上、図面（図１〜図７）を参照しながら本発明の実施形態について説明した。但し、本発明は、上記の実施形態に限られるものではなく、その要旨を逸脱しない範囲で種々の態様において実施することが可能である（例えば、（１）〜（５））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【００７４】
（１）図８を参照して、第１実施形態の除湿機１００の変形例について説明する。図８は、第１実施形態の除湿機１００の変形例を示す模式図である。
【００７５】
第１実施形態では、放熱部９が送風部１１の上流に配置される。しかし、本発明はこれに限定されない。図８に示すように、放熱部９が送風部１１の下流に配置されてもよい。その結果、第１実施形態の除湿機１００と同様の効果を奏する。また、第２実施形態の除湿機１００において、放熱部９が送風部１１の下流に配置されてもよい。
【００７６】
（２）第１実施形態及び第２実施形態では、第１冷却部８ａと第２冷却部８ｂとが１つの部材で構成される。しかし、本発明はこれに限定されない。第１冷却部８ａと第２冷却部８ｂとが、分離されており、異なる部材で構成されてもよい。
【００７７】
（３）第１実施形態及び第２実施形態では、第１放熱部９ａと第２放熱部９ｂとが１つの部材で構成される。しかし、本発明はこれに限定されない。第１放熱部９ａと第２放熱部９ｂとが、分離されており、異なる部材で構成されてもよい。
【００７８】
（４）図３を参照して、制御部１４による除湿機１００の制御の第１例について説明する。
【００７９】
除湿機１００は、室温を計測する温度計測部（不図示）と、室内の湿度を計測する湿度計測部（不図示）とをさらに備える。制御部１４は、温度計測部の計測値と、湿度計測部の計測値とに基づいて、ヒータ６のＯＮ、及びＯＦＦを制御する。例えば、温度計測部の計測値が所定温度以上になり、かつ、湿度計測部の計測値が所定湿度以上になる場合、制御部１４は、ヒータ６をＯＦＦにした状態で、除湿機１００を稼働させる。これに対し、温度計測部の計測値が所定温度よりも小さくなり、又は、湿度計測部の計測値が所定湿度よりも小さくなる場合、制御部１４は、ヒータ６をＯＮにした状態で、除湿機１００を稼働させる。その結果、必要以上にヒータ６をＯＮの状態にすることが抑制されるので、除湿機１００のランニングコストを低減でき、除湿機１００を効率的に稼働させることができる。所定温度は、例えば、１５℃である。所定湿度は、例えば、６０％である。除湿機１００を稼働させることは、送風部１１により第１風路Ｆ１と第２風路Ｆ２とを生成することを示す。
【００８０】
（５）図３を参照して、制御部１４による除湿機１００の制御の第２例について説明する。
【００８１】
制御部１４は、タイマとして機能する。制御部１４は、ヒータ６をＯＮにした状態で除湿機１００を稼働させてから第１所定時間が経過すると、ヒータ６をＯＦＦにした状態で除湿機１００を稼働させる。この場合、吹出口２から排出される風を用いて洗濯物を乾燥させる場合、まず、ヒータ６の熱により加熱された風を洗濯物に当てることで洗濯物に含まれる水分を飛ばし、次に、ヒータ６がＯＦＦの状態で吹出口２から排出される未加熱の風を用いて洗濯物の乾燥処理の仕上げを行う。その結果、必要以上にヒータ６をＯＮの状態にすることが抑制されるので、除湿機１００を効率的に稼働させることができる。
【００８２】
また、ヒータ６をＯＦＦにした状態で除湿機１００を稼働させてから第２所定時間が経過すると、ヒータ６をＯＮにした状態で除湿機１００を稼働させてもよい。その結果、乾燥処理後の洗濯物が温かくなるように乾燥処理を行うことができる。第１所定時間、及び第２所定時間の各々は、例えば、３０分である。
【産業上の利用可能性】
【００８３】
本発明は、除湿機の分野に利用可能である。
【符号の説明】
【００８４】
６      ヒータ（加熱部）
７ａ    吸湿部
７ｂ    放湿部
８ａ    第１冷却部
８ｂ    第２冷却部
９ａ    第１放熱部
９ｂ    第２放熱部
１００  除湿機
【図１】
2020131063.tif 000003
【図２】
2020131063.tif 000004
【図３】
2020131063.tif 000005
【図４】
2020131063.tif 000006
【図５】
2020131063.tif 000007
【図６】
2020131063.tif 000008
【図７】
2020131063.tif 000009
【図８】
2020131063.tif 000010